(57)【特許請求の範囲】
【請求項１】
第１の片と第２の片とが折り線を挟んで配置された上用紙と、
前記上用紙の下層に配置され、前記第１の片に対向して配置される第３の片と前記第２の片に対向して配置される第４の片とが切り取り線を挟んで配置された下用紙と、
前記第１の片と前記第３の片とを強接着する強接着部と、
前記第２の片の表面に形成された記入面と、
前記第４の片の表面に形成された複写面と、
前記記入面に記入された情報を前記複写面に複写する複写構造と、
前記第１の片の表面に形成され、再剥離及び再粘着が可能な粘着層と、
前記粘着層を保護する剥離紙と
を備える葉書シート。
【請求項２】
請求項１に記載の葉書シートにおいて、
前記上用紙は、
その裏面に発色剤層を有するノーカーボントップ紙であり、
前記下用紙は、
その表面に前記発色剤層と反応して発色する顕色剤層を有するノーカーボンボトム紙であり、
前記複写構造は、
前記ノーカーボントップ紙及び前記ノーカーボンボトム紙により実現されていることを特徴とする葉書シート。
【請求項３】
請求項２に記載の葉書シートにおいて、
前記発色剤層の下層に、前記記入面に記入された情報が透けることを防止する地紋層をさらに備えることを特徴とする葉書シート。
【請求項４】
請求項１から３までのいずれかに記載の葉書シートにおいて、
前記第１の片と前記粘着層との間に、前記記入面に記入された情報が透けることを防止する地紋層をさらに備えることを特徴とする葉書シート。
【請求項５】
請求項３に記載の葉書シートにおいて、
前記地紋層は、
所定の情報表示部が互いに接触することなく連続して配置されており、その情報表示部を構成する個々の構成要素同士も互いに接触することなく配置された印刷層であることを特徴とする葉書シート。
【請求項６】
請求項１から５のいずれかに記載の葉書シートにおいて、
前記上用紙は、
坪量が６０〜８０ｇ／ｍ２であり、
前記下用紙は、
坪量が８０〜１６０ｇ／ｍ２であることを特徴とする葉書シート。
【請求項７】
請求項１から６に記載の葉書シートを使用する葉書シートの使用方法において、
前記記入面に必要事項を記入する工程と、
前記複写面が形成された第４の片を、前記第３の片と前記第４の片との間にある切り取り線を用いて切り取る工程と、
前記剥離紙を剥離して前記粘着層を表出させる工程と、
前記第１の片と前記第２の片との間にある折り線を折り目として、前記第１の片及び前記第３の片を前記第２の片に折り重ねることにより、前記粘着層と前記記入面とを密着させて、前記記入面に記入した情報を隠蔽する工程と
を備える葉書シートの使用方法。
【発明の詳細な説明】
【技術分野】
【０００１】
本発明は、葉書シート及び葉書シートの使用方法に関するものである。
【背景技術】
【０００２】
従来、この種の葉書シートとして、基紙の中央に設けられた折目線を介して、葉書本体片と隠蔽用紙片とが連接されている隠蔽葉書が開示されている（例えば、特許文献１参照）。
この隠蔽葉書は、上側用紙に形成された発色剤層と葉書本体片上に形成された顕色剤層とによって必要事項が複写されるものである。
【０００３】
そして、この隠蔽葉書を使用する際には、上側用紙に必要事項を記入して、記入を終えた上側用紙が記入紙片となってユーザ（記入者）の控えとなる。また、下側用紙は、上側用紙に記入した内容が複写されて複写紙片となる。ユーザは、複写紙片に隠蔽紙片を重ねることにより、再剥離粘着層を利用して複写紙片と隠蔽紙片とを密着させて、複写紙片に複写した内容を隠蔽することができ、記入内容を隠蔽した状態で葉書として郵送することができる。
【０００４】
特許文献１の隠蔽葉書によれば、ユーザは、上側用紙の記入欄に必要事項を記入した後、その上側用紙を葉書から取り外すことで控えとすることができるので、複写紙片やメモを別途用意したり、控え片に転記したりする煩わしさが解消され、また、控えのとり忘れもなく、記入した内容の控えを容易にとることができると考えられる。
【先行技術文献】
【特許文献】
【０００５】
【特許文献１】特開２００６−１９２８２２号公報
【発明の概要】
【発明が解決しようとする課題】
【０００６】
上述したように、特許文献１の技術は、記入した内容の控えを容易にとることができるものであるが、その一方でユーザが実際に記入した記入紙片（原本）がユーザの手元に残るという問題がある。このように、記入紙片がユーザの手元に残ると、ユーザに記入内容を改ざんされる恐れがある。
すなわち、ユーザがペン等を用いて直接記入した記入紙片のほうがユーザの手元に残ると、悪意のあるユーザが記入内容の追記をしたり、当初とは違う部分に後から丸印をつけたり、違う箇所にレ点等のチェックを入れたりする恐れがある。
【０００７】
また、特許文献１の技術は、記入欄に必要事項を記入して、その記入内容を複写した後には、葉書本体片に隠蔽用紙片を重ね合わせ、再剥離粘着剤によって葉書本体片と隠蔽用紙片とを密着させることにより記入内容を隠蔽するものである。そして、特許文献１の技術では、このような隠蔽の構成を採用していることにより、隠蔽時には、複写紙片の顕色剤と再剥離粘着剤とが接触したままの状態となる。
【０００８】
この点、顕色剤は、再剥離粘着剤に接触したままの状態で長期間放置されると、薬品などの影響により、複写内容（発色した文字等）が薄くなってしまったり、消えてしまったりすることがあり、長期的な保存には向いていないという問題がある。
【０００９】
そこで本発明は、ユーザが記入した原本の改ざんを防止することができ、長期的な保存も可能とする技術の提供を課題としている。
【課題を解決するための手段】
【００１０】
上記の課題を解決するため、本発明は葉書シート及び葉書シートの使用方法を提供する。
【００１１】
〔葉書シート〕
解決手段１：本発明の葉書シートは、第１の片と第２の片とが折り線を挟んで配置された上用紙と、上用紙の下層に配置され、第１の片に対向して配置される第３の片と第２の片に対向して配置される第４の片とが切り取り線を挟んで配置された下用紙と、第１の片と第３の片とを強接着する強接着部と、第２の片の表面に形成された記入面と、第４の片の表面に形成された複写面と、記入面に記入された情報を複写面に複写する複写構造と、第１の片の表面に形成され、再剥離及び再粘着が可能な粘着層と、粘着層を保護する剥離紙とを備える葉書シートである。
【００１２】
解決手段１では、葉書シートは、上用紙と、上用紙の下層に配置される下用紙とを備えている。
上用紙には、第１の片と第２の片とが折り線を挟んで配置されている。
下用紙には、第１の片に対向して配置される第３の片と第２の片に対向して配置される第４の片とが切り取り線を挟んで配置されている。
そして、第１の片と第３の片とは、強接着部により強接着されている。
【００１３】
また、第２の片の表面には記入面が形成され、第４の片の表面には複写面が形成され、記入面に記入された情報は、複写構造により複写面に複写される。
第１の片の表面には、再剥離及び再粘着が可能な粘着層が形成されており、粘着層は、剥離紙により保護されている。
【００１４】
解決手段１によれば、複写構造により、記入面に記入された情報を複写面に複写することができる。この際、複写面を有する第４の片は、切り取り線で切り取って控えとすることができる。
【００１５】
また、記入面を有する第２の片は、粘着層によって第１の片と密着させることにより、記入面に記入した情報を隠蔽して送付（郵送）することができる。したがって、記入面を有する第２の片を原本として送付することができるので、ユーザが実際に記入した原本が改ざんされることを防止することができる。
【００１６】
さらに、第１の片と第２の片との間にある折り線を折り目として、第１の片及び第３の片を第２の片に折り重ねることにより、粘着層と記入面とを密着させて、記入面に記入した情報を隠蔽することができる。
この際、ユーザが記入面に記入した文字等の情報は、発色剤や顕色剤等の複写構造によって構成されていない。そして、ユーザが直接記入した文字等の情報が、粘着層と接触するので、粘着層に使用される糊剤によって記入内容が判読しづらくなることはなく、長期的な保存に適している。
【００１７】
解決手段２：本発明の葉書シートは、解決手段１に記載の葉書シートにおいて、上用紙は、その裏面に発色剤層を有するノーカーボントップ紙であり、下用紙は、その表面に発色剤層と反応して発色する顕色剤層を有するノーカーボンボトム紙であり、複写構造は、ノーカーボントップ紙及びノーカーボンボトム紙により実現されていることを特徴とする葉書シートである。
【００１８】
解決手段２によれば、複写構造は、ノーカーボントップ紙及びノーカーボンボトム紙により実現されているので、カーボンインキを適用した複写構造に比べて、取り扱いの際の擦れ等による汚れがなく、ユーザの作業性を向上させることができる。
【００１９】
解決手段３：本発明の葉書シートは、解決手段２に記載の葉書シートにおいて、発色剤層の下層に、記入面に記入された情報が透けることを防止する地紋層をさらに備えることを特徴とする葉書シートである。
解決手段４：本発明の葉書シートは、解決手段１から３までのいずれかに記載の葉書シートにおいて、第１の片と粘着層との間に、記入面に記入された情報が透けることを防止する地紋層をさらに備えることを特徴とする葉書シートである。
【００２０】
解決手段３，４によれば、発色剤層の下層や、第１の片と粘着層との間といったように、記入面に対応した位置に地紋層が配置されるので、隠蔽時や送付時には、記入面に記入した情報をより強固に隠蔽することができる。
【００２１】
解決手段５：本発明の葉書シートは、解決手段３に記載の葉書シートにおいて、地紋層は、所定の情報表示部が互いに接触することなく連続して配置されており、その情報表示部を構成する個々の構成要素同士も互いに接触することなく配置された印刷層であることを特徴とする葉書シートである。
【００２２】
解決手段５によれば、情報表示部同士が互いに接触しておらず、情報表示部を構成する個々の構成要素同士も互いに接触していないので、地紋層を構成する各要素の間に隙間が発生する。したがって、発色剤層の複写機能を阻害することなく、地紋層の隠蔽機能を果たすことができる。
【００２３】
解決手段６：本発明の葉書シートは、解決手段１から５のいずれかに記載の葉書シートにおいて、上用紙は、坪量が６０〜８０ｇ／ｍ２であり、下用紙は、坪量が８０〜１６０ｇ／ｍ２であることを特徴とする葉書シートである。
基本的には、上用紙については坪量が６０〜８０ｇ／ｍ２であり、下用紙については坪量が８０〜１６０ｇ／ｍ２の範囲にあれば問題ないが、例えば何らかの要因により上用紙や下用紙の材質が変化したり、製造中に製造誤差が生じたりする可能性がある。そこで、本発明では、多少の製造誤差等（例えばプラスマイナス数ｇ／ｍ２程度）も許容するために、上用紙の坪量は、略６０〜略８０ｇ／ｍ２として、下用紙の坪量は、略８０〜略１６０ｇ／ｍ２としてもよい。なお、以下の説明では、「略」の文言は省略し、単純な数値のみを表記している。
【００２４】
解決手段６によれば、上用紙は、坪量が６０〜８０ｇ／ｍ２（連量に換算すると５１．６〜６８．８ｋｇ／四六）であるため、記入作業に適した厚みとなり、ユーザは記入作業を行いやすい。この点、上用紙の坪量が６０ｇ／ｍ２よりも小さいと、用紙が薄くなり記入情報を隠蔽した際に透けてしまう可能性があり、上用紙の坪量が８０ｇ／ｍ２よりも大きいと、上用紙が厚くなりすぎるため、記入の際には、より高い筆圧が必要となり作業性が低下する。
【００２５】
また、下用紙は、坪量が８０〜１６０ｇ／ｍ２（連量に換算すると６８．８〜１３７．６ｋｇ／四六）である。
ここで、郵便法では、「通常はがき」は、２ｇ以上６ｇ以下でなければならないと規定されている。２ｇの重さを確保するためには、連量が「１１０ｋｇ／四六」以上の用紙を葉書サイズにカットすれば、２ｇを超えることが分かっている。
【００２６】
そこで、上用紙の「連量；５１．６〜６８．８ｋｇ／四六」に、下用紙の「連量；６８．８〜１３７．６ｋｇ／四六」を加えると、「連量；１２０．４〜２０６．４ｋｇ／四六」となり、連量が１１０ｋｇ／四六を超えることになる。したがって、上記数値範囲にある上用紙と下用紙とを貼り合わせて（重ね合わせて）葉書本体とした際には、郵便法に規定された重量を遵守した葉書とすることができる。これにより、法令を遵守しながら、企業側としては、公正・公平に業務を遂行することができる。
なお、上用紙については、坪量が「４０ｇ／ｍ２」、「５０ｇ／ｍ２」、「６０ｇ／ｍ２」、「８０ｇ／ｍ２」の４種類が一般に多く販売されており、下用紙については、坪量が「４０ｇ／ｍ２」、「５０ｇ／ｍ２」、「６０ｇ／ｍ２」、「８０ｇ／ｍ２」、「１００ｇ／ｍ２」、「１３０ｇ／ｍ２」、「１６０ｇ／ｍ２」の７種類が一般に多く販売されている。したがって、本解決手段では、これらの用紙の中から、一般市場での入手のしやすさや製造のしやすさ等も考慮して、上用紙については、坪量が６０〜８０ｇ／ｍ２のものを採用し、下用紙については、坪量が８０〜１６０ｇ／ｍ２のものを採用している。
【００２７】
〔葉書シートの使用方法〕
解決手段７：本発明の葉書シートの使用方法は、解決手段１から６に記載の葉書シートを使用する葉書シートの使用方法において、記入面に必要事項を記入する工程と、複写面が形成された第４の片を、第３の片と第４の片との間にある切り取り線を用いて切り取る工程と、剥離紙を剥離して粘着層を表出させる工程と、第１の片と第２の片との間にある折り線を折り目として、第１の片及び第３の片を第２の片に折り重ねることにより、粘着層と記入面とを密着させて、記入面に記入した情報を隠蔽する工程とを備える葉書シートの使用方法である。
【００２８】
解決手段７によれば、記入面に必要事項を記入すると、複写構造により記入された情報が複写面に複写され、複写面が形成された第４の片を、第３の片と第４の片との間にある切り取り線を用いて切り取ることにより、第４の片を控えとすることができる。
【００２９】
また、剥離紙を剥離して粘着層を表出させ、第１の片と第２の片との間にある折り線を折り目として、第１の片及び第３の片を第２の片に折り重ねることにより、粘着層と記入面とを密着させて、記入面に記入した情報を隠蔽することができる。そして、記入面を隠蔽した状態で、第１の片、第２の片及び第３の片を葉書として送付することができる。
したがって、より少ない作業により、記入内容を隠蔽した葉書と控えとを得ることができ、ユーザの作業負担を軽減させることができる。
【発明の効果】
【００３０】
本発明によれば、複写面を有する第４の片を控えとし、記入面を有する第２の片を原本として送付することができるので、ユーザが記入した原本の改ざんを防止することができる。また、粘着層と記入面とを密着させて、記入面に記入した情報を隠蔽するので、長期的な保存を可能とすることができる。
【図面の簡単な説明】
【００３１】
【図１】本発明の実施形態に係る葉書シートを概略的に示す平面図である。
【図２】本発明の実施形態に係る葉書シートを概略的に示す底面図である。
【図３】図２のＩＩＩ−ＩＩＩ線に沿う葉書シートの概略的な断面図である。
【図４】地紋層の詳細について説明する図である。
【図５】葉書シート１０の使用方法について説明するための連続図である（１／３）。
【図６】葉書シート１０の使用方法について説明するための連続図である（２／３）。
【図７】葉書シート１０の使用方法について説明するための連続図である（３／３）。
【発明を実施するための形態】
【００３２】
以下、本発明の実施形態について、図面を参照して説明する。
図１は、本発明の実施形態に係る葉書シートを概略的に示す平面図である。
図２は、本発明の実施形態に係る葉書シートを概略的に示す底面図である。
図３は、図２のＩＩＩ−ＩＩＩ線に沿う葉書シートの概略的な断面図である。
【００３３】
本実施形態の葉書シート１０は、例えばユーザが記入した個人情報等の秘匿情報を隠蔽した状態で、これを葉書として郵送することができるものである。また、葉書シート１０は、ユーザが記入した情報を複写することができ、複写したものを控えとしてユーザの手元に残すことができるものである。
【００３４】
図１に示すように、葉書シート１０を表面側からみると、切り取り線ｍ２の左側には予めユーザに伝達するべき情報を表示した情報表示欄３１が形成されており、切り取り線ｍ２の右側には切手欄や郵便番号欄、宛名欄等を有する通信欄３２が形成されている。
情報表示欄３１は、例えば、サービス事業者の広告を表示したり、ユーザへの注意事項を表示したりする等して、広く情報欄として活用することができる。
【００３５】
図２に示すように、葉書シート１０を裏面側からみると、折り線ｍ１の左側には使用方法を表示する使用方法表示欄６１が形成されており、折り線ｍ１の右側には必要事項を記入するための記入面２１が形成されている。
使用方法表示欄６１には、後述する葉書シート１０の使用方法が簡易的に表示されており、ユーザは、この表示欄を確認しながら葉書シート１０を取り扱う。
【００３６】
ここで、上記折り線ｍ１や切り取り線ｍ２は、ミシン目やマイクロミシン目等による切り取り線であってもよく、折りや切り取りを予定する（促す）ための単純な印刷上の線であってもよい。
また、折り線ｍ１をミシン目等とした場合、その折り線ｍ１は、ユーザ側では、折り目として利用するものであるが、切り取り用の手段として用いるものではないので、折り線ｍ１付近に、ユーザ側での切り取りを阻止する指示（例えば、「切り取らないでください」等の文言）を表示しておくことが好ましい。この場合、折り線ｍ１は、受け取り側（葉書シート１０を葉書として送付した際の送付先）では、切り取り用の手段として利用される。
【００３７】
図３に示すように、葉書シート１０は、上用紙２０と、上用紙２０の下層に配置される下用紙３０とを備えている。なお、図３の断面図においては、葉書シート１０の内部構造や各部の配置関係の理解を容易にするため、各部の寸法を誇張して表している。
【００３８】
〔上用紙〕
上用紙２０は、その裏面に発色剤層２２を有するノーカーボントップ紙であり、坪量が６０ｇ／ｍ２（連量に換算すると５１．６ｋｇ／四六）の紙である。
発色剤層２２は、染料を含有するマイクロカプセルが、上用紙２０の裏面に均一に塗布された層であり、このマイクロカプセルは、直径数ミクロンの大きさの微粒子である。
【００３９】
また、上用紙２０には、第１の片１１と第２の片１２とが折り線ｍ１を挟んで配置されている。ここで、第２の片１２の表面には、氏名や住所、電話番号等の個人情報を記入するための記入面２１（図２参照）が形成されている。
【００４０】
〔下用紙〕
下用紙３０は、その表面に発色剤層２２と反応して発色する顕色剤層３３を有するノーカーボンボトム紙であり、坪量が８０ｇ／ｍ２（連量に換算すると６８．８ｋｇ／四六）の紙である。
顕色剤層３３は、発色剤層２２のマイクロカプセルに含有された染料と反応して発色する顕色剤が、下用紙３０の表面に均一に塗布された層である。
【００４１】
また、下用紙３０には、第１の片１１に対向して配置される第３の片１３と、第２の片１２に対向して配置される第４の片１４とが切り取り線ｍ２を挟んで配置されている。
ここで、第３の片１３の裏面には、通信欄３２（図１参照）が形成されており、第４の片１４の裏面には、情報表示欄３１（図１参照）が形成されている。
また、第４の片１４の表面には、記入面２１に記入した情報を複写するための複写面３４（後述する図５中（Ｃ）参照）が形成されている。
【００４２】
〔複写構造〕
本実施形態では、複写構造は、ノーカーボントップ紙である上用紙２０、及びノーカーボンボトム紙である下用紙３０により実現されており、記入面２１に記入された情報は、この複写構造により複写面３４（後述する図５中（Ｃ）参照）に複写される。
【００４３】
より詳しくは、ボールペン等といった筆記具によって記入面２１に必要事項を記入すると、発色剤層２２のマイクロカプセルがその筆圧によって破壊され、破壊されたマイクロカプセルから内部の染料が染み出し、顕色剤層３３の顕色剤と反応して発色するものである。
【００４４】
なお、図３において、発色剤層２２及び顕色剤層３３は、第２の片１２及び第４の片１４にのみ形成されている状態で図示してあるが、実際には、第１の片１１及び第３の片１３にも連続して形成されている。ただし、第１の片１１及び第３の片１３に関しては、発色剤層２２及び顕色剤層３３について減感処理（発色剤と顕色剤とが反応しないようにするための処理）を行い、実際にはボールペン等の筆記具によって加圧しても発色しないようにしてもよい。
【００４５】
〔強接着部〕
強接着部４０は、第１の片１１と第３の片１３との間に配置されたホットメルト接着剤等の接着層であり、第１の片１１と第３の片１３とは、この強接着部４０によって強接着されている。
【００４６】
〔粘着層〕
第１の片１１の表面には、その略全面に再剥離及び再粘着が可能な粘着層５０が形成されており、粘着層５０は、表面の粘着力で剥離紙６０を付着させている。
【００４７】
〔剥離紙〕
剥離紙６０は、粘着層５０の上層に配置され、使用時まで粘着層５０を保護するセパレート紙である。剥離紙６０の裏面（粘着層５０側の面）には、剥離を容易にするための剥離剤等が塗布されている。剥離紙６０の表面（粘着層５０とは反対側の面）には、使用方法表示欄６１（図２参照）が形成されている。
【００４８】
〔地紋層〕
第１の片１１と粘着層５０との間には、第１の地紋層７０が形成されており、発色剤層２２の下層には、第２の地紋層８０が形成されている。
各地紋層７０，８０は、郵送時に、記入面２１に記入された情報が透けることを防止する機能を果たしている。
なお、第２の地紋層８０は、図３中において、発色剤層２２の下層に形成されている例で図示しているが、第２の地紋層８０の印刷の仕方等によっては、第２の地紋層８０の一部又は全部が発色剤層２２の各マイクロカプセルの間に形成される場合もある。
【００４９】
図４は、地紋層の詳細について説明する図である。
ここで、図４中（Ａ）は、第１の地紋層７０の平面図を示しており、図４中（Ｂ）は、第２の地紋層８０の平面図を示しており、図４中（Ｃ）は、図４中（Ｂ）の領域Ｃを拡大して示す拡大図を示している。
【００５０】
図４中（Ａ）に示すように、第１の地紋層７０は、四角形形状の情報表示部７１が無数に複数配列された印刷層となっている。
四角形形状の情報表示部７１の印刷内容は、図４中（Ａ）に示すように、単純な四角い縁取りにバツ印を組み合わせた内容でもよく、例えば異なる文字や数字を無作為に重ねた内容でもよく、幾何学模様等の図形からなる内容であってもよい。いずれにしても、第１の地紋層７０については、隠蔽機能を充分に発揮できる印刷内容とすればよい。
【００５１】
一方、第２の地紋層８０は、発色剤層２２の下層に配置されるので、発色剤層２２の発色機能を阻害しない印刷層であることが好ましい。これは、発色剤層２２に含まれるマイクロカプセルは、直径数ミクロンのカプセルであるため、第２の地紋層８０を形成する領域が必要以上に広くなってしまうと、隠蔽機能は向上するものの、複写機能は低下してしまう可能性があるからである。
【００５２】
本実施形態では、図４中（Ｂ）に示すように、第２の地紋層８０は、所定の情報表示部８１を斜めに複数配置した構成としている。
より詳しくは、第２の地紋層８０は、所定の情報表示部８１をひとつのかたまりとして、その情報表示部８１を斜めに無数に連続して配置した印刷層であり、各情報表示部８１は、互いに接触することなく配置されている。
【００５３】
そして、図４中（Ｃ）に示すように、各情報表示部８１（図示の例では「ＡＢＣＰＲＩＮＴＩＮＧ」という単語）を構成する個々の構成要素８２（図示の例では、「Ａ」「Ｂ」「Ｃ」・・・「Ｉ」「Ｎ」「Ｇ」というキャラクタ）同士も互いに接触することなく配置されている。
ここで、情報表示部８１を構成する個々の構成要素８２は、図示のように英文字に限らず、数字や漢字、片仮名、平仮名、記号等の構成要素であってもよい。
【００５４】
このように、第２の地紋層８０は、情報表示部８１同士が接触しておらず、個々の構成要素８２同士も接触していないので、第２の地紋層８０を構成する各要素の間に隙間が発生する。したがって、筆圧によって発色剤層２２のマイクロカプセルが破壊された際には、第２の地紋層８０によって、発色剤層２２と顕色剤層３３との反応が妨げられることなく、第２の地紋層８０を構成する情報表示部８１同士のすきまや、各構成要素８２同士のすきま等によって発色剤層２２と顕色剤層３３とが反応しやすい構造となっている。これにより、第２の地紋層８０は、隠蔽機能を発揮しながら、発色剤層２２の複写機能を妨げない地紋層となっている。
【００５５】
そして、図１〜図３に示す葉書シート１０を製造する場合は、まず、上用紙２０及び下用紙３０を用意し、ついで、上用紙２０及び下用紙３０に必要事項（第１及び第２の地紋層７０，８０も含む）を印刷する。
さらに、上用紙２０の第１の片１１と下用紙３０の第３の片１３とを強接着部４０によって強接着し、そして、上用紙２０の第１の片１１上に粘着層５０を塗工する。
最後に、粘着層５０上に剥離紙６０を貼り合わせることによって葉書シート１０を完成させる。
【００５６】
〔使用方法〕
以下、図５〜図７を参照しながら、葉書シート１０の使用方法について説明する。
図５〜図７は、葉書シート１０の使用方法について説明するための連続図である。
【００５７】
まず、図５中（Ａ）に示すように、ユーザは、葉書シート１０を見開き状態とする。
ついで、図５中（Ｂ）に示すように、ユーザは、ボールペン等の筆記具を用いて、第２の片１２に設けられた記入面２１に必要事項を記入する。この動作により、記入面２１に記入された情報は、第４の片１４の複写面３４に複写される。
【００５８】
さらに、図５中（Ｃ）に示すように、複写面３４が形成された第４の片１４を、第３の片１３と第４の片１４との間にある切り取り線ｍ２を用いて切り取る。切り取った第４の片１４は、ユーザの控えとなる。
【００５９】
ユーザは、控えを確保したら、図６中（Ｄ）に示すように、剥離紙６０を剥離して、粘着層５０を表出させる。
そして、図６中（Ｅ）に示すように、ユーザは、第１の片１１と第２の片１２との間にある折り線ｍ１を折り目として、第１の片１１及び第３の片１３を第２の片１２に折り重ねることにより、粘着層５０と記入面２１とを密着させて、記入面２１に記入した情報を隠蔽する。
【００６０】
記入内容を隠蔽すると、図７中（Ｆ）に示すように、葉書シート１０が、１葉の葉書となる。
最後に、図７中（Ｇ）に示すように、ユーザは、記入内容が隠蔽された状態の葉書シート１０を郵便ポストに投函する。
【００６１】
葉書シート１０の受け取り側では、葉書シート１０を見開き状態として、記入面２１に記入された内容を確認し、必要に応じて第１の片１１と第２の片１２との間にある折り線ｍ１を用いて、第１の片１１と第２の片１２とを切り離し、記入面２１が形成された第２の片１２を保管する。
【００６２】
このように、本実施形態によれば、記入面２１を有する第２の片１２を原本として郵送することができるので、ユーザが実際に記入した原本が改ざんされることを防止することができる。
【００６３】
また、記入内容を隠蔽する際には、記入面２１と粘着層５０とを密着させて、記入内容を隠蔽することができる。この場合、ユーザが記入面２１に記入した文字等の情報は、発色剤や顕色剤等の複写構造によって構成されていないので、記入した文字等の情報が、粘着層５０に使用される糊剤によって判読しづらくなることはなく、長期的な保存に適している。
【００６４】
さらに、複写構造は、ノーカーボントップ紙及びノーカーボンボトム紙により実現されているので、カーボンインキを適用した複写構造に比べて、取り扱いの際の擦れ等による汚れがなく、ユーザの作業性を向上させることができる。
【００６５】
さらにまた、隠蔽時には、第１及び第２の地紋層７０，８０により、記入面２１の記入内容を表裏面から挟み込んで隠蔽しているため、個人情報等の秘匿情報が透けて見えてしまうことをより一層防止することができる。
【００６６】
その上、上用紙２０には、坪量が６０ｇ／ｍ２の用紙を採用し、下用紙３０には、坪量が８０ｇ／ｍ２の用紙を採用しているため、第１の片１１と第３の片１３とを重ね合わせて葉書本体とした場合には、２ｇ以上の重さを確保することができ、郵送時には、郵便法に則った葉書とすることができる。
【００６７】
本発明は上述した一実施形態に制約されることなく、種々に変形して実施することができる。
複写構造は、ノーカーボントップ紙及びノーカーボンボトム紙により実現する例で説明したが、これに限定されるものではなく、その他の複写構造を用いてもよい。
例えば、上用紙と下用紙の組み合わせの例として、（１）上質紙とセルフ発色用紙の組み合わせ、（２）ノーカーボントップ紙とホワイトカーボン印刷を施した上質紙の組み合わせ、（３）裏面にバックカーボンインキ印刷を施した上質紙と上質紙の組み合わせ等を適用することができる。
【００６８】
ここで、セルフ発色用紙とは、顕色剤と発色剤とが同一面に配置されている用紙である。
また、ホワイトカーボン印刷とは、上質紙等の発色しない紙にホワイトカーボンインクを印刷することであり、ノーカーボントップ紙と組み合わせて使用することで、上質紙等の発色しない紙でも発色できるようにすることができる。
さらに、バックカーボンインキ印刷とは、上質紙等の発色しない紙の裏面に、カーボンインキを印刷することであり、カーボンインキの印刷によって複写構造を実現することができる。
【００６９】
また、一実施形態で挙げた葉書シート等の構成や各部材の材料等の数値はいずれも好ましい例示であり、これらを適宜変形して実施可能であることはいうまでもない。
【符号の説明】
【００７０】
１０  葉書シート
１１  第１の片
１２  第２の片
１３  第３の片
１４  第４の片
２０  上用紙
２１  記入面
２２  発色剤層
３０  下用紙
３３  顕色剤層
４０  強接着部
５０  粘着層
６０  剥離紙
７０  第１の地紋層
８０  第２の地紋層
ｍ１  折り線
ｍ２  切り取り線
【図１】
0005477970.tif 000002
【図２】
0005477970.tif 000003
【図３】
0005477970.tif 000004
【図４】
0005477970.tif 000005
【図５】
0005477970.tif 000006
【図６】
0005477970.tif 000007
【図７】
0005477970.tif 000008